(57)【特許請求の範囲】
【請求項１】
処方箋に記載された処方薬を代替可能な代替薬を特定する代替薬特定部と、
医薬品毎に、その医薬品に含まれる添加物を記憶する添加物記憶部と、
前記添加物記憶部が記憶した添加物から、前記代替薬特定部が特定した代替薬に含まれる含有添加物を検索する含有添加物検索部と、
患者毎に、その患者が有するアレルギーを記憶するアレルギー記憶部と、
アレルギー毎に、そのアレルギーに影響する添加物を記憶するアレルギー添加物記憶部と、
前記アレルギー記憶部が記憶したアレルギーから、前記処方薬が処方された患者が有するアレルギーを検索するアレルギー検索部と、
前記アレルギー添加物記憶部が記憶した添加物から、前記アレルギー検索部が検索したアレルギーに影響するアレルギー添加物を悪影響添加物として検索するアレルギー添加物検索部と、
前記アレルギー添加物検索部が検索した悪影響添加物が、前記含有添加物検索部が検索した含有添加物に含まれる場合には、警告を出力する警告出力部と
を備えることを特徴とする医薬品添加物確認装置。
【請求項２】
処方箋に記載された処方薬を代替可能な代替薬を特定する代替薬特定部と、
医薬品毎に、その医薬品に含まれる添加物を記憶する添加物記憶部と、
前記添加物記憶部が記憶した添加物から、前記代替薬特定部が特定した代替薬に含まれる含有添加物を検索する含有添加物検索部と、
患者毎に、その患者への投与が禁止されている禁止薬を記憶する禁止薬記憶部と、
前記禁止薬記憶部が記憶した禁止薬から、前記処方薬が処方された患者への投与が禁止されている禁止薬を検索する禁止薬検索部と、
前記添加物記憶部が記憶した添加物から、前記禁止薬検索部が検索した禁止薬に含まれる禁止添加物を悪影響添加物として検索する禁止添加物検索部と、
前記禁止添加物検索部が検索した悪影響添加物が、前記含有添加物検索部が検索した含有添加物に含まれる場合には、警告を出力する警告出力部と
を備えることを特徴とする医薬品添加物確認装置。
【請求項３】
前記医薬品添加物確認装置は、さらに、
前記代替薬特定部が特定した代替薬を、前記含有添加物検索部が検索した含有添加物とともに表示する医薬品表示部
を備え、
前記警告出力部は、前記医薬品表示部が表示した含有添加物のうち前記悪影響添加物に所定の表示をする
ことを特徴とする請求項１又は２に記載の医薬品添加物確認装置。
【請求項４】
前記医薬品表示部は、前記代替薬特定部が特定した代替薬のうち、前記含有添加物に前記悪影響添加物が含まれない代替薬を上位に表示する
ことを特徴とする請求項３に記載の医薬品添加物確認装置。
【請求項５】
処方箋に記載された処方薬を代替可能な代替薬を特定する代替薬特定処理と、
予め医薬品毎にその医薬品に含まれる添加物を記憶した添加物記憶装置から、前記代替薬特定処理で特定した代替薬に含まれる含有添加物を検索する含有添加物検索処理と、
予め患者毎にその患者が有するアレルギーを記憶したアレルギー記憶装置から、前記処方薬が処方された患者が有するアレルギーを検索するアレルギー検索処理と、
予めアレルギー毎にそのアレルギーに影響する添加物を記憶したアレルギー添加物記憶装置から、前記アレルギー検索処理で検索したアレルギーに影響するアレルギー添加物を悪影響添加物として検索するアレルギー添加物検索処理と、
前記アレルギー添加物検索処理で検索した悪影響添加物が、前記含有添加物検索処理で検索した含有添加物に含まれる場合には、警告を出力する警告出力処理と
をコンピュータに実行させることを特徴とする医薬品添加物確認プログラム。
【請求項６】
処方箋に記載された処方薬を代替可能な代替薬を特定する代替薬特定処理と、
予め医薬品毎にその医薬品に含まれる添加物を記憶した添加物記憶装置から、前記代替薬特定処理で特定した代替薬に含まれる含有添加物を検索する含有添加物検索処理と、
予め患者毎にその患者への投与が禁止されている禁止薬を記憶した禁止薬記憶装置から、前記処方薬が処方された患者への投与が禁止されている禁止薬を検索する禁止薬検索処理と、
前記添加物記憶装置から、前記禁止薬検索処理で検索した禁止薬に含まれる禁止添加物を悪影響添加物として検索する禁止添加物検索処理と、
前記禁止添加物検索処理で検索した悪影響添加物が、前記含有添加物検索処理で検索した含有添加物に含まれる場合には、警告を出力する警告出力処理と
をコンピュータに実行させることを特徴とする医薬品添加物確認プログラム。
【発明の詳細な説明】
【技術分野】
【０００１】
この発明は、安全な医薬品の選択技術に関する。
【背景技術】
【０００２】
医師が記載した処方箋に基づき、調剤薬局で調剤が行われ、患者へ医薬品が提供される。処方箋には、ジェネリック医薬品への変更が可能か否かが示されており、変更が可能な場合には、調剤薬局で患者へジェネリック医薬品が提供される場合がある。
どのジェネリック医薬品であっても主成分は同じであるため、これまで、どのジェネリック医薬品を選択するかは、医薬品の価格によって決定されていた。
【０００３】
特許文献１には、医薬品の主成分に、患者の服用が禁止されている禁止薬が含まれているか確認することが記載されている。
【先行技術文献】
【特許文献】
【０００４】
【特許文献１】特開平１１−２０３３７５号公報
【発明の概要】
【発明が解決しようとする課題】
【０００５】
医薬品は、主成分以外に、添加物と呼ばれる成分が含まれている。添加物には、様々な役割があるが、例えば、医薬品を固めるため等に用いられる。ジェネリック医薬品間で主成分は同じであっても、添加物は異なる場合がある。そして、添加物が患者に悪影響を与える場合がある。
この発明は、患者への悪影響を考慮したジェネリック医薬品の選択を可能とすることを目的とする。
【課題を解決するための手段】
【０００６】
この発明に係る医薬品添加物確認装置は、
処方箋に記載された処方薬を代替可能な代替薬を特定する代替薬特定部と、
医薬品毎に、その医薬品に含まれる添加物を記憶する添加物記憶部と、
前記添加物記憶部が記憶した添加物から、前記代替薬特定部が特定した代替薬に含まれる含有添加物を検索する含有添加物検索部と、
前記処方薬が処方された患者に悪影響がある悪影響添加物を特定する影響添加物特定部と、
前記影響添加物特定部が特定した悪影響添加物が、前記含有添加物検索部が検索した含有添加物に含まれる場合には、警告を出力する警告出力部と
を備えることを特徴とする。
【０００７】
前記医薬品添加物確認装置は、さらに、
患者毎に、その患者が有するアレルギーを記憶するアレルギー記憶部と、
アレルギー毎に、そのアレルギーに影響する添加物を記憶するアレルギー添加物記憶部と
を備え、
前記影響添加物特定部は、
前記アレルギー記憶部が記憶したアレルギーから、前記処方薬が処方された患者が有するアレルギーを検索するアレルギー検索部と
前記アレルギー添加物記憶部が記憶した添加物から、前記アレルギー検索部が検索したアレルギーに影響するアレルギー添加物を前記悪影響添加物として検索するアレルギー添加物検索部と
を備えることを特徴とする。
【０００８】
前記医薬品添加物確認装置は、さらに、
患者毎に、その患者への投与が禁止されている禁止薬を記憶する禁止薬記憶部
を備え、
前記影響添加物特定部は、
前記禁止薬記憶部が記憶した禁止薬から、前記処方薬が処方された患者への投与が禁止されている禁止薬を検索する禁止薬検索部と、
前記添加物記憶部が記憶した添加物から、前記禁止薬検索部が検索した禁止薬に含まれる禁止添加物を前記悪影響添加物として検索する禁止添加物検索部と
を備えることを特徴とする。
【０００９】
前記医薬品添加物確認装置は、さらに、
前記代替薬特定部が特定した代替薬を、前記含有添加物検索部が検索した含有添加物とともに表示する医薬品表示部
を備え、
前記警告出力部は、前記医薬品表示部が表示した含有添加物のうち、前記影響添加物特定部が特定した悪影響添加物に所定の表示をする
ことを特徴とする。
【００１０】
前記医薬品表示部は、前記代替薬特定部が特定した代替薬のうち、前記含有添加物に前記悪影響添加物が含まれない代替薬を上位に表示する
ことを特徴とする。
【００１１】
この発明に係る医薬品添加物確認プログラムは、
処方箋に記載された処方薬を代替可能な代替薬を特定する代替薬特定処理と、
予め医薬品毎にその医薬品に含まれる添加物を記憶した記憶装置から、前記代替薬特定処理で特定した代替薬に含まれる含有添加物を検索する含有添加物検索処理と、
前記処方薬が処方された患者に悪影響がある悪影響添加物を特定する影響添加物特定処理と、
前記影響添加物特定処理で特定した悪影響添加物が、前記含有添加物検索処理で検索した含有添加物に含まれる場合には、警告を出力する警告出力処理と
をコンピュータに実行させることを特徴とする。
【発明の効果】
【００１２】
この発明に係る医薬品添加物確認装置は、代替薬に含まれる添加物が患者に悪影響を与える恐れがある場合には、警告を出力する。そのため、悪影響のあるジェネリック医薬品を患者に提供することを防止できる。
【図面の簡単な説明】
【００１３】
【図１】実施の形態１に係る医薬品添加物確認装置１０の構成図。
【図２】医薬品記憶部１１が記憶する情報の例を示す図。
【図３】添加物記憶部１２が記憶する情報の例を示す図。
【図４】アレルギー記憶部１３が記憶する情報の例を示す図。
【図５】アレルギー添加物記憶部１４が記憶する情報の例を示す図。
【図６】禁止薬記憶部１５が記憶する情報の例を示す図。
【図７】添加物名称記憶部１６が記憶する情報の例を示す図。
【図８】実施の形態１に係る医薬品添加物確認装置１０の動作を示すフローチャート。
【図９】Ｓ９で表示される一覧表の例を示す図。
【図１０】Ｓ１１で表示される一覧表の例を示す図。
【図１１】Ｓ１３で表示される一覧表の例を示す図。
【図１２】Ｓ１４で表示される一覧表の例を示す図。
【図１３】実施の形態１に係る医薬品添加物確認装置１０のハードウェア構成の一例を示す図。
【発明を実施するための形態】
【００１４】
実施の形態１．
図１は、実施の形態１に係る医薬品添加物確認装置１０の構成図である。
医薬品添加物確認装置１０は、代替薬に含まれる添加物が患者に悪影響を与える恐れがある場合に、警告を出力する。
医薬品添加物確認装置１０は、医薬品記憶部１１、添加物記憶部１２、アレルギー記憶部１３、アレルギー添加物記憶部１４、禁止薬記憶部１５、添加物名称記憶部１６、代替薬特定部１７、含有添加物検索部１８、影響添加物特定部１９、医薬品表示部２０、警告出力部２１を備える。
【００１５】
医薬品記憶部１１は、医薬品毎に、その医薬品に関する情報を記憶した記憶装置であり、医薬品のマザーマスタである。
図２は、医薬品記憶部１１が記憶する情報の例を示す図である。図２では、医薬品記憶部１１は、医薬品毎に、商品名と、ＹＪコード（個別医薬品コード）と、価格とを記憶する。
商品名は、医薬品を一意に特定可能な名称である。ＹＪコードは、医薬品毎に割り当てられた識別子であり、１２ケタの値である。ＹＪコードの先頭の９ケタは主成分、投与経路、剤形等を示しており、続く２ケタは先頭９ケタが同じ医薬品における商品別の番号であり、最後の１ケタはチェックデジットである。価格は、医薬品の薬価あるいは販売価格である。
【００１６】
添加物記憶部１２は、医薬品毎に、その医薬品に含まれる添加物を記憶する記憶装置である。
図３は、添加物記憶部１２が記憶する情報の例を示す図である。図３では、添加物記憶部１２は、ＹＪコード、連番毎に、添加物コードと、含有量とを記憶する。
ＹＪコードは、上述した通りである。連番は、１つの医薬品に複数の添加物が含まれる場合に割り当てられる番号である。添加物コードは、添加物に割り当てられた識別子である。含有量は、医薬品に含まれる添加物の量である。
【００１７】
アレルギー記憶部１３は、患者毎に、その患者が有するアレルギーを記憶する記憶装置である。
図４は、アレルギー記憶部１３が記憶する情報の例を示す図である。図４では、アレルギー記憶部１３は、患者コード、連番毎に、アレルギーコードを記憶する。
患者コードは、患者に割り当てられた識別子である。連番は、１人の患者が複数のアレルギーを有する場合に割り当てられる番号である。アレルギーコードは、アレルギーに割り当てられた識別子である。
【００１８】
アレルギー添加物記憶部１４は、アレルギー毎に、そのアレルギーに影響する添加物を記憶する記憶装置である。
図５は、アレルギー添加物記憶部１４が記憶する情報の例を示す図である。図５では、アレルギー添加物記憶部１４は、アレルギーコード毎に、添加物コードを記憶する。
アレルギーコード及び添加物コードは、上述した通りである。
【００１９】
禁止薬記憶部１５は、患者毎に、その患者への投与が禁止されている禁止薬を記憶する記憶装置である。
図６は、禁止薬記憶部１５が記憶する情報の例を示す図である。図６では、禁止薬記憶部１５は、患者コード、連番毎に、ＹＪコードを記憶する。
患者コード及びＹＪコードは、上述した通りである。連番は、１人の患者が複数の禁止薬を有する場合に割り当てられる番号である。
【００２０】
添加物名称記憶部１６は、添加物毎に、その添加物の名称を記憶する記憶装置である。
図７は、添加物名称記憶部１６が記憶する情報の例を示す図である。図７では、添加物名称記憶部１６は、添加物コード毎に、添加物の名称を記憶する。
添加物コードは、上述した通りである。添加物の名称は、添加物を一意に特定可能な名称である。
【００２１】
代替薬特定部１７は、処理装置により、処方箋に記載された処方薬を代替可能な代替薬を特定する。具体的には、代替薬特定部１７は、処方薬のＹＪコードの概ね先頭９ケタを検索キーワードとして、医薬品記憶部１１を検索して抽出された医薬品を代替薬として特定する。
【００２２】
含有添加物検索部１８は、添加物記憶部１２が記憶した添加物から、代替薬特定部１７が特定した代替薬に含まれる含有添加物を検索する。つまり、含有添加物検索部１８は、代替薬特定部１７が特定した各代替薬のＹＪコードを検索キーワードとして添加物記憶部１２を検索して、各代替薬に含まれる全ての含有添加物の添加物コードを抽出する。
【００２３】
影響添加物特定部１９は、処理装置により、処方薬が処方された患者に悪影響がある悪影響添加物を特定する。
影響添加物特定部１９は、アレルギー検索部２２、アレルギー添加物検索部２３、禁止薬検索部２４、禁止添加物検索部２５を備える。
【００２４】
医薬品表示部２０は、代替薬特定部１７が特定した代替薬を、含有添加物検索部１８が検索したその代替薬に含まれる含有添加物とともに一覧表にして表示装置に表示する。
特に、医薬品表示部２０は、代替薬特定部１７が特定した代替薬のうち、含有添加物に悪影響添加物が含まれない代替薬を上位に表示し、含有添加物に悪影響添加物が含まれる代替薬を下位に表示する。また、医薬品表示部２０は、含有添加物に悪影響添加物が含まれない代替薬については、価格の安いものほど上位に表示する。
また、医薬品表示部２０は、代替薬に複数の含有添加物が含まれている場合には、含有量の多い含有添加物から順に並べて表示する。
【００２５】
警告出力部２１は、影響添加物特定部１９が特定した悪影響添加物が、含有添加物検索部１８が検索した含有添加物に含まれる場合に、警告を出力する。例えば、警告出力部２１は、悪影響添加物が含有添加物に含まれる場合に、医薬品表示部２０が表示する一覧表に記載された悪影響添加物を、文字色や背景色を変える等して強調して表示する。
【００２６】
アレルギー検索部２２は、アレルギー記憶部１３が記憶したアレルギーから、処方薬が処方された患者が有するアレルギーを検索する。つまり、アレルギー検索部２２は、処方薬が処方された患者の患者コードを検索キーワードとしてアレルギー記憶部１３を検索して、全てのアレルギーコードを抽出する。
【００２７】
アレルギー添加物検索部２３は、アレルギー添加物記憶部１４が記憶した添加物から、アレルギー検索部２２が検索したアレルギーに影響するアレルギー添加物を悪影響添加物として検索する。つまり、アレルギー添加物検索部２３は、アレルギー検索部２２が検索したアレルギーコードを検索キーワードとしてアレルギー添加物記憶部１４を検索して、全ての添加物コードを抽出し、抽出された添加物コードが示すアレルギー添加物を悪影響添加物とする。
【００２８】
禁止薬検索部２４は、禁止薬記憶部１５が記憶した禁止薬から、処方薬が処方された患者への投与が禁止されている禁止薬を検索する。つまり、禁止薬検索部２４は、処方薬が処方された患者の患者コードを検索キーワードとして禁止薬記憶部１５を検索して、全ての禁止薬のＹＪコードを抽出する。
なお、患者への投与が禁止されている禁止薬とは、医師等により患者への投与が禁止されている医薬品だけでなく、以前服用して体調が悪くなった等と患者からの申し出があった医薬品等も含む。つまり、禁止薬とは、完全に服用が禁止されている医薬品だけでなく、服用は可能であるが避けた方がよい医薬品も含む。
【００２９】
禁止添加物検索部２５は、添加物記憶部１２が記憶した添加物から、禁止薬検索部２４が検索した禁止薬に含まれる禁止添加物を悪影響添加物として検索する。つまり、禁止添加物検索部２５は、禁止薬検索部２４が検索したＹＪコードを検索キーワードとして添加物記憶部１２を検索して、全ての添加物コードを抽出し、抽出された添加物コードが示す禁止添加物を悪影響添加物とする。
【００３０】
図８は、実施の形態１に係る医薬品添加物確認装置１０の動作を示すフローチャートである。
処方箋に記載された医薬品の商品名が入力されると、代替薬特定部１７は、入力された商品名又はＹＪコードを持つ医薬品の全ての代替薬を特定する（Ｓ１）。そして、含有添加物検索部１８は、Ｓ１で特定された各代替薬の含有添加物を検索する（Ｓ２）。この際、含有添加物検索部１８は、併せて、検索された含有添加物の名称を添加物名称記憶部１６から取得しておく。
【００３１】
すると、アレルギー検索部２２は、患者のアレルギーを検索し（Ｓ３）、アレルギーがあるか否かを判定する（Ｓ４）。アレルギーがあれば（Ｓ４でＹＥＳ）、アレルギー添加物検索部２３は、Ｓ３で検索されたアレルギーに影響するアレルギー添加物を検索する（Ｓ５）。
【００３２】
また、禁止薬検索部２４は、患者の禁止薬を検索し（Ｓ６）、禁止薬があるか否かを判定する（Ｓ７）。禁止薬があれば（Ｓ７でＹＥＳ）、禁止添加物検索部２５は、Ｓ６で検索された禁止薬に含まれる禁止添加物を検索する（Ｓ８）。
【００３３】
そして、医薬品表示部２０は、Ｓ１で特定された代替薬を、Ｓ２で検索された、その代替薬に含まれる含有添加物とともに、一覧表にして表示する（Ｓ９）。
【００３４】
すると、警告出力部２１は、Ｓ２で検索された含有添加物に、Ｓ５で検索されたアレルギー添加物が含まれているか否かを判定する（Ｓ１０）。含まれている場合（Ｓ１０でＹＥＳ）、警告出力部２１は、Ｓ９で表示された含有添加物のうち、アレルギー添加物を強調して表示する（Ｓ１１）。
【００３５】
また、警告出力部２１は、Ｓ２で検索された含有添加物に、Ｓ８で検索された禁止添加物が含まれているか否かを判定する（Ｓ１２）。含まれている場合（Ｓ１２でＹＥＳ）、警告出力部２１は、Ｓ９で表示された含有添加物のうち、禁止添加物を強調して表示する（Ｓ１３）。なお、警告出力部２１は、アレルギー添加物と禁止添加物とを色を変える等により区別して表示してもよい。
【００３６】
そして、医薬品表示部２０は、含有添加物にアレルギー添加物及び禁止添加物が含まれていない代替薬が上位になるように、代替薬を整列して表示する（Ｓ１４）。
【００３７】
例えば、患者００１の処方箋に医薬品Ａが記載されている場合、図２に示す医薬品記憶部１１から、ＹＪコードの先頭９ケタが同じ医薬品である、医薬品Ｂ（ＹＪコード２２２２２２２２Ｂ２２２）と、医薬品Ｃ（ＹＪコード２２２２２２２２Ｂ２３３）と、医薬品Ｄ（ＹＪコード２２２２２２２２Ｂ２４４）とが代替薬として特定される（Ｓ１）。
そして、図３に示す添加物記憶部１２から、医薬品Ｂに含まれる添加物Ｔ００１，Ｔ００２，Ｔ００３と、医薬品Ｃに含まれる添加物Ｔ００１，Ｔ００３と、医薬品Ｄに含まれる添加物Ｔ００１，Ｔ００５とが特定される（Ｓ２）。この際、図７に示す添加物名称記憶部１６から、特定された各添加物Ｔ００１の名称である添加物１，Ｔ００２の名称である添加物２，Ｔ００３の名称である添加物３，Ｔ００５の名称である添加物５も取得される。
【００３８】
すると、図４に示すアレルギー記憶部１３から、患者００１のアレルギーＡ００１，Ａ００４が特定され（Ｓ３）、アレルギーがあると判定される（Ｓ４）。そして、図５に示すアレルギー添加物記憶部１４からアレルギーＡ００１に影響がある添加物Ｔ００２と、アレルギーＡ００４に影響がある添加物Ｔ００４とが特定される（Ｓ５）。
【００３９】
また、図６に示す禁止薬記憶部１５から、患者００１の禁止薬３３３３３３３３Ｃ４４４が検索され（Ｓ６）、禁止薬があると判定される（Ｓ７）。そして、図３に示す添加物記憶部１２から禁止薬３３３３３３３３Ｃ４４４に含まれる添加物Ｔ００５が特定される（Ｓ８）。
【００４０】
そして、図９に示すように、Ｓ１で特定された代替薬Ｂ，Ｃ，Ｄがその添加物の名称とともに一覧表として表示される（Ｓ９）。
【００４１】
すると、代替薬Ｂ，Ｃ，Ｄの添加物に、アレルギーＡ００１に影響がある添加物Ｔ００２と、アレルギーＡ００４に影響がある添加物Ｔ００４との少なくともいずれかが含まれていないか判定され、代替薬Ｂの添加物には添加物Ｔ００２が含まれていると判定される（Ｓ１０）。そして、図１０に示すように、添加物Ｔ００２の名称である添加物２が強調して表示される（Ｓ１１）。
【００４２】
また、代替薬Ｂ，Ｃ，Ｄの添加物に、禁止薬３３３３３３３３Ｃ４４４に含まれる添加物Ｔ００５が含まれていないか判定され、代替薬Ｄの添加物には添加物Ｔ００５が含まれていると判定される（Ｓ１２）。そして、図１１に示すように、添加物Ｔ００５の名称である添加物５が強調して表示される（Ｓ１３）。
【００４３】
そして、図１２に示すように、添加物Ｔ００２，Ｔ００５を含んでいない代替薬Ｃが上位になるように一覧表が整列され、表示される。
【００４４】
以上のように、実施の形態１に係る医薬品添加物確認装置１０は、代替薬に含まれる添加物に、患者に悪影響がある添加物が含まれる場合には、警告を表示する。これにより、悪影響のあるジェネリック医薬品を避けることができ、悪影響のあるジェネリック医薬品を患者に提供することを防止できる。
従来は、悪影響のあるジェネリック医薬品を患者へ提供してしまうことを恐れていたため、ジェネリック医薬品の普及が進まなかったが、悪影響のあるジェネリック医薬品を患者に提供することを防止できるため、ジェネリック医薬品の普及を促進できる。
【００４５】
図１３は、実施の形態１に係る医薬品添加物確認装置１０のハードウェア構成の一例を示す図である。
図１３に示すように、医薬品添加物確認装置１０は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、ＬＣＤ９０１（Ｌｉｑｕｉｄ  Ｃｒｙｓｔａｌ  Ｄｉｓｐｌａｙ）、キーボード９０２（Ｋ／Ｂ）、通信ボード９１５、磁気ディスク装置９２０と接続され、これらのハードウェアデバイスを制御する。磁気ディスク装置９２０（固定ディスク装置）の代わりに、光ディスク装置、メモリカード読み書き装置などの記憶装置でもよい。磁気ディスク装置９２０は、所定の固定ディスクインタフェースを介して接続される。
【００４６】
磁気ディスク装置９２０又はＲＯＭ９１３などには、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００４７】
プログラム群９２３には、上記の説明において「代替薬特定部１７」、「含有添加物検索部１８」、「影響添加物特定部１９」、「医薬品表示部２０」、「警告出力部２１」、「アレルギー検索部２２」、「アレルギー添加物検索部２３」、「禁止薬検索部２４」、「禁止添加物検索部２５」、等として説明した機能を実行するソフトウェアやプログラムやその他のプログラムが記憶されている。プログラムは、ＣＰＵ９１１により読み出され実行される。
ファイル群９２４には、上記の説明において「医薬品記憶部１１」、「添加物記憶部１２」、「アレルギー記憶部１３」、「アレルギー添加物記憶部１４」、「禁止薬記憶部１５」等に記憶される情報やデータや信号値や変数値やパラメータが、「データベース」の各項目として記憶される。「データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵ９１１の動作に用いられる。抽出・検索・参照・比較・演算・計算・処理・出力・印刷・表示のＣＰＵ９１１の動作の間、情報やデータや信号値や変数値やパラメータは、メインメモリやキャッシュメモリやバッファメモリに一時的に記憶される。
【００４８】
また、上記の説明におけるフローチャートの矢印の部分は主としてデータや信号の入出力を示し、データや信号値は、ＲＡＭ９１４のメモリ、その他光ディスク等の記録媒体やＩＣチップに記録される。また、データや信号は、バス９１２や信号線やケーブルその他の伝送媒体や電波によりオンライン伝送される。
また、上記の説明において「〜部」として説明するものは、「〜回路」、「〜装置」、「〜機器」、「〜手段」、「〜機能」であってもよく、また、「〜ステップ」、「〜手順」、「〜処理」であってもよい。また、「〜装置」として説明するものは、「〜回路」、「〜機器」、「〜手段」、「〜機能」であってもよく、また、「〜ステップ」、「〜手順」、「〜処理」であってもよい。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組合せ、さらには、ファームウェアとの組合せで実施されても構わない。ファームウェアとソフトウェアは、プログラムとして、ＲＯＭ９１３等の記録媒体に記憶される。プログラムはＣＰＵ９１１により読み出され、ＣＰＵ９１１により実行される。すなわち、プログラムは、上記で述べた「〜部」としてコンピュータ等を機能させるものである。あるいは、上記で述べた「〜部」の手順や方法をコンピュータ等に実行させるものである。
【符号の説明】
【００４９】
１０  医薬品添加物確認装置、１１  医薬品記憶部、１２  添加物記憶部、１３  アレルギー記憶部、１４  アレルギー添加物記憶部、１５  禁止薬記憶部、１６  添加物名称記憶部、１７  代替薬特定部、１８  含有添加物検索部、１９  影響添加物特定部、２０  医薬品表示部、２１  警告出力部、２２  アレルギー検索部、２３  アレルギー添加物検索部、２４  禁止薬検索部、２５  禁止添加物検索部。
【要約】
【課題】患者への悪影響を考慮したジェネリック医薬品の選択を可能とすることを目的とする。
【解決手段】代替薬特定部１７は、処方箋に記載された処方薬を代替可能な代替薬を特定し、含有添加物検索１８は、代替薬特定部１７が特定した代替薬に含まれる含有添加物を検索する。影響添加物特定部１９は、処方薬が処方された患者に悪影響がある悪影響添加物を特定する。警告出力部２１は、影響添加物特定部１９が特定した悪影響添加物が、含有添加物検索１８が検索した含有添加物に含まれる場合には、警告を出力する。
【選択図】図１【図１】
0005550759.tif 000002
【図２】
0005550759.tif 000003
【図３】
0005550759.tif 000004
【図４】
0005550759.tif 000005
【図５】
0005550759.tif 000006
【図６】
0005550759.tif 000007
【図７】
0005550759.tif 000008
【図８】
0005550759.tif 000009
【図９】
0005550759.tif 000010
【図１０】
0005550759.tif 000011
【図１１】
0005550759.tif 000012
【図１２】
0005550759.tif 000013
【図１３】
0005550759.tif 000014